(57)【要約】  手動で作動するポンプ手段を有する投与装置であって、ポンプ手段がポンプ室、（１０）入口弁（７）及び投与開口（１２）の領域における出口弁（１３）を含む投与装置が知られている。本発明によれば、入口弁（７，８）の領域における入口領域（１４）及び／又は出口弁の領域における出口領域（１４）にフローの外形が設けられている。医薬液体を分与するために用いられる。
2009527297.tif 000002
【特許請求の範囲】
【請求項１】
手動で作動するポンプ手段を有する投与装置であって、ポンプ室と入口弁を備え、前記入口弁はスライド弁として構成され、その閉じた位置で投与通路内の投与ストロークにわたって密閉するように移動可能であって、前記入口弁が前記ポンプ室の投与体積を規定し、前記投与通路が入口側で入口領域に開いている投与装置において、前記入口領域（９，９a）にフローの外形（２０，２１）が設けられていることを特徴とする投与装置。
【請求項２】
前記フローの外形（２０，２１）が前記投与ストロークの長手方向に配向されていることを特徴とする請求項１に記載の投与装置。
【請求項３】
前記フローの外形が、前記入口領域の軸方向のある長さにわたってポンピング軸（P）と平行に伸びる長手方向の溝（２０，２１）によって形成され、前記溝は前記入口領域の円周方向に互いに一様に分配する形で配置されていることを特徴とする請求項１に記載の投与装置。
【請求項４】
前記入口領域（９a）及び投与通路（８a）が別々のコンポーネント（２，３；２a，３a）に設けられていることを特徴とする請求項１に記載の投与装置。
【請求項５】
前記コンポーネント（２，３；２a，３a）が同軸上に互いに係合する方法で接合され、該コンポーネントが、その向き合う周表面で、前記周表面の間に少なくとも一つの気体流毛細管が軸方向に向き合う周表面（１８）の前面エッジ（複数）の間に形成されるように外形が作られることを特徴とする請求項４に記載の投与装置。
【請求項６】
前記少なくとも一つの気体流毛細管が一端で外部環境に開いており他端で媒体容器に開いており、該媒体容器に向いている端にフィルタ・ユニット（１７）が設けられていることを特徴とする請求項５に記載の投与装置。
【請求項７】
手動で作動するポンプ手段を有する流体投与装置であって、さらに前記流体が前記投与装置から出る投与開口を含み、該投与開口は少なくとも一つの流体誘導路によって前記ポンプ手段に結合され、前記投与開口と関連する前記流体誘導路における圧力の関数として開く出口弁を含み、該出口弁が少なくとも軸方向に密閉する弁座を有し、前記出口弁は前記弁座と協働する密閉システムを含む投与装置において、前記弁座は前記密閉システム（１３）を半径方向で囲む殻部分を有し、該殻部分のまわりに、円環部（１４）が同軸上に設けられ、前記密閉システム（１３）は前記投与開口（１２）へのラビリンス状の流れ誘導路が得られるように前記円環部に突出するラビリンスリム（１５）によって囲まれていることを特徴とする投与装置。
【請求項８】
前記投与開口（１２）への流出方向の上流に位置する流出領域にフローの外形が設けられていることを特徴とする請求項１〜７のいずれか一項に記載の投与装置。
【請求項９】
前記密閉システム（１３）と前記殻部分が、さらに半径方向の密閉シートが得られるように同軸上に対応する方法で互いに円筒状に構成されていることを特徴とする請求項７又は８に記載の投与装置。
【請求項１０】
前記円環部（１４）が円形の円環状溝として構成され、前記ラビリンスリム（１５）が円形の円環状ウエブとして構成され、前記ラビリンスリムの断面が該前記環状溝の自由断面に対して小さいことを特徴とする請求項７に記載の投与装置。
【請求項１１】
前記出口弁（１１）の閉じた位置で、前記ラビリンスリム（１５）と前記円環部（１４）の隣接する表面が互いから間隔をあけていることを特徴とする請求項７に記載の投与装置。
【請求項１２】
前記ラビリンスリム（１５）が少なくとも実質的に矩形断面を有することを特徴とする請求項１〜１１のいずれか１項に記載の投与装置。
【請求項１３】
前記円環部（１４）が少なくとも実質的に矩形断面を有することを特徴とする請求項１〜１２のいずれか１項に記載の投与装置。
【請求項１４】
前記ラビリンスリム（１５）の外側周縁が円錐状に面取りされていることを特徴とする請求項１〜１３のいずれか１項に記載の投与装置。
【請求項１５】
前記円環部（１４）が円錐状にテーパーしている壁を有することを特徴とする請求項１〜１４のいずれか１項に記載の投与装置。
【発明の詳細な説明】
【技術分野】
【０００１】
本発明は、手動で作動するポンプ手段を備えた投与装置に関し、詳しくはポンプ手段がポンプ室とスライド弁として構成された入口弁を含んで成り、入口弁は投与通路内で投与ストロークによって密閉するように閉じた位置で可動であり、それがポンプ室の投与体積を規定する、投与通路が入口側で入口領域に開いている投与装置に関する。
【０００２】
このような投与装置は欧州特許第１２９５６４６号（EP 12 95 646 A1）から公知である。公知の投与装置は、媒体容器を備え、それに手動で作動するポンプ手段が配置されている。ポンプ手段はポンプ室を備え、その体積はスラスト・ピストンによって変えることができる。ポンプ室には入口弁と出口弁がついており、後者はばね荷重によって閉じた位置に保持されている。入口弁はスライド弁の形をしており、投与ストロークによって投与通路内に密閉位置で、したがって閉じた位置で保持される。媒体容器に面して入口領域が投与通路に、したがって入口弁に接続している。スライド弁は閉じた位置で上から投与通路を通って移動し、入口領域に移動してステップ状の肩部を通過するまで移動して、ポンプ室を媒体容器に開放する。
【０００３】
本発明の課題は、前記のタイプの投与装置であって、改善された投与が可能な投与装置を提供することである。
【０００４】
この課題は、入口領域にフローの外形を設けることによって解決される。これにより、スライド弁を開いたとき、媒体容器から流出する流れの投与通路から入口領域までの流れ特性が改善され、投与装置の充填が改善され、したがってより精密な投与が可能になる。投与通路と入口領域の間の移行部が周面の円環状ステップで形成される従来技術と異なり、入口領域のフローの外形の結果としての投与通路と入口領域の間の移行部は、流れの移行を改善するものになる。フローの外形は、好ましくはプロファイルされた円環状の壁という形をとる。
【０００５】
本発明のある変形例では、フローの外形は投与ストロークの長手方向に配向される。好ましくは、対応する長手方向のプロファイリングはいくつかの長手方向の溝によって形成され、それが入口領域の周面にわたって一様に分布する形でポンプ軸と平行に伸びる。導入される媒体と所望の導入特性に応じて、前記長手方向の溝は広く又は狭く作られる。長手方向の溝の深さは、好ましくは入口領域で媒体容器の方へ接続する投与装置部分の半径と投与通路の半径の間の半径差に対応する。
【０００６】
本発明の別の変形例では、入口領域と投与通路が別々のコンポーネントに設けられており、これは製造の観点からは非常に有利になる。その結果、投与装置は比較的小さな寸法で非常に精密に製造できる。この二つの部分により、スライド弁の特に正確な開放特性が得られる。
【０００７】
本発明の別の変形例では、コンポーネントが同軸上に互いに係合する仕方で結合され、それらのコンポーネントは、向かい合うそれらの周面において、それらの間に少なくともひとつの気体流毛細管が周面の軸方向で向かい合う前端エッジの間に形成されるようなプロファイルになる。これにより所望の排気又は通気が確実に行われる。
【０００８】
本発明の別の変形例では、該少なくともひとつの気体流毛細管は、一端が環境に開いており、他端が媒体容器に開いており、前記媒体容器に向いた端にはフィルタ・ユニットが設けられている。これによって、周辺空気による媒体の汚染を引き起こすことなく媒体容器に通気することが可能になる。
【０００９】
本発明は、また、手動で作動するポンプ手段を有する流体投与装置であって、さらに該流体が投与装置を通って出てゆく投与開口を有し、投与開口は少なくともひとつの流体誘導路によってポンプ手段と接続され、投与開口には流体誘導路における圧力の関数として開く出口弁がついており、投与開口は少なくともひとつの軸方向に密閉する弁座を有し、出口弁が弁座と協同動作する密閉システムを含む。
【００１０】
欧州特許第１２９５６４６号（EP 12 95 646 A1）は、出口弁がシリンダー状の密閉システムを含み、それが投与装置の投与開口の付近で軸方向と半径方向に動作する弁座と協同動作する投与装置を開示している。
【００１１】
本発明の課題は、前記タイプの投与装置であって改善されたスプレー特性を有する投与装置を提供することである。
【００１２】
この課題は、弁座が半径方向で密閉システムを包む殻部分を有し、殻部分のまわりに同軸上に円環を設け、密閉システムをラビリンスリム（labyrinth rim）で囲み、それが投与開口へのラビリンス状流れ誘導路となるように円環に突出しているというやり方で解決される。特に、投与開口がスプレー・ノズルとして構成されている場合、それがスプレー特性に関して有利に働くと同時に、さらに精密な投与が得られる。本発明の解決方法は、医薬部門又は化粧品部門で用いられる液体媒体に特に適する。ラビリンスリムは、出口弁と一体的に形成され、密閉システムを同軸上かつ間隔をあけて囲み、好ましくはポンプ手段のポンプ軸と同心的に配向される。
【００１３】
本発明のある変形例では、流出方向で投与開口の上流側にフローの外形を有する流出領域があり、これが投与開口の付近での流出特性の改善につながる。
【００１４】
本発明の別の変形例では、密閉システムと殻部分が互いに円筒状に、同軸上に対応するように構成され、それによってさらに半径方向の密閉シートが得られ 、それが出口弁の開閉の改善につながる。
【００１５】
本発明の別の変形例では、円環部は円形の円環状溝として構成され、ラビリンスリムは円形の円環状ウエブとして構成され、それは円環状溝の自由断面よりも小さな断面を有する。別の変形例では、出口弁が閉じた位置で、ラビリンスリムの隣接する表面は互いに間隔をあけている。これによって、出口弁が閉じた位置でも、投与装置内の、したがってポンプ室内のラビリンス状の流れ誘導路が完全に液体媒体で満たされるようになる。投与開口の出口のすぐ上流で流体の流れを曲げることによって特に有利な放出特性が得られ、好ましくはスプレー特性が改善される。
【００１６】
本発明の別の変形例では、ラビリンスリムは少なくとも実質的に矩形断面を有する。ラビリンスリムは好ましくは周方向で円形である。少なくとも実質的に矩形断面という用語は、特にラビリンスリムが少なくとも部分的に実質的に矩形のエッジによって形成されるということを意味する。
【００１７】
本発明の別の変形例では、円環部は少なくとも実質的に矩形の断面を有する。好ましくは、前記断面の輪郭はラビリンスリムの外側輪郭に適合する。
【００１８】
本発明の別の変形例では、ラビリンスリムの外周は円錐状に面取りされる。別の変形例では、円環部は円錐状にテーパーがついた壁を有する。好ましくはラビリンスリムの円錐状表面と円環部は互いに平行に配向される。
【００１９】
本発明のその他の利点及び特徴は、特許請求の範囲及び添付図面を参照した本発明の好ましい実施形態についての以下の説明から明らかになる。
【００２０】
図１から６までに示された投与装置は、医薬又は化粧品媒体を容れることができる媒体容器に取付又は搭載することを意図している。図示された実施形態では、投与装置は医薬的に活性な液体の投与に有利に用いられ、医薬的に活性な液体の投与は好ましくは患者の鼻孔に行われる。
【００２１】
投与装置はコレット（collet）１の形の取付スリーブを有し、これは媒体容器の容器頸部にねじ込むようにかぶせられる。取付スリーブ１はポンプ・ケーシング２，３，４を担持し、これは二つのコンポーネント２，３を取付スリーブ１に対して、したがって媒体容器に対して、静止した状態で保持し、ポンプ・コンポーネント４を静止コンポーネント２，３に対して直線的に移動可能な方法で取り付けて組み立てられる。ポンプ・コンポーネント４は投与装置の散布器を構成し、図示の実施形態では鼻孔散布器の形になっている。
【００２２】
媒体容器の中にライジング・チューブ１９が突出しており、これはコンポーネント２の図示されない入口チャンネルに挿入されている。ライジング・チューブ１９も円筒状である。コンポーネント２は支持コンポーネントを構成する。支持コンポーネント２は上に開いたカップ状のレセプタクルを有し、そこに静止ポンプ・コンポーネント３が押し込まれ、それによって支持コンポーネント２に剛体的に結合される。静止ポンプ・コンポーネント３と可動ポンプ・コンポーネント４がポンプ室１０を形成する。ポンプ室１０はポンプ・コンポーネント４の上方領域に伸び、そこで外部環境に開かれた投与開口１２に出てゆく。図示の実施形態では、投与開口１２はスプレー・ノズルの形をしている。
【００２３】
ポンプ・コンポーネント４は多数の部分からなる構成であり、外側のフード状散布器ケーシング４’とピストン・コンポーネント５，６から組み立てられる。散布器ケーシング４’ とピストン・コンポーネント５，６の間に出口弁１１が設けられ、それは散布器ケーシングとピストン・コンポーネント５，６内で投与装置のポンピング軸Pと同軸上に限られた直線で可動な形で保持される。出口弁１１は、渦巻き圧縮ばねの形のばね装置によって図１の閉じた位置に保持される。ピストン・コンポーネント５，６は、スリーブ状のガイド壁によって出口弁１１をポンプ室１０の方へ密閉するように囲んでいる。図示されないフード状カバーも散布器ケーシング４’上に配置される。散布器ケーシング４’には、図示されないフィンガー・サポート（finger support）が外側に結合され、図１ではそれが散布器ケーシング４’にロックされている。ピストン・コンポーネント５，６はポンピング軸Pと同軸上に配向された実質的にシリンダー状の投与ピストン６を有する。投与ピストン６は密閉リップ７まで下方に拡がっており、密閉リップ７はスライド弁の形で入口弁を形成する。周縁密閉リップ７はスライド弁として機能するときには、ポンプ・コンポーネント３にポンピング軸Pと同軸上に設けられた投与通路８と協働する。投与通路８は密閉リップ７に対して投与経路を形成する。出口側で、投与通路８はポンプ室１０に移行する。入口側で、投与通路８は入口領域９に結合され、入口領域９の自由断面は投与通路８に比べて拡がっている。対応する長手方向の移動の場合、スライド弁は密閉リップ７が投与通路８から入口領域９へ移行するときに開く、これは、入口領域９の断面が拡がっているために、液体が密閉リップ７を外側に通過して投与通路８に、したがってポンプ室１０に、流れ込むことができるからである。入口領域９の設計のさらに詳しい細部については後で説明する。
【００２４】
図１と２の投与装置は実質的に互いに同一であるが、入口領域９，９aの構成が異なり、その限りにおいて以下では異なる実施形態が記載される。入口領域９，９aが三つの長手方向の溝２０（図３）又は２１（図４）を有し、それらが入口領域９，９aの円環状の壁に作られていることは両方の実施形態に共通である。図１と２による実施形態では、長手方向の溝２１は比較的狭い。図２と３による実施形態ではそれらは対応して広くなっている。長手方向の溝は、それ以外ではシリンダー状の入口領域９，９aの周面にわたって一様な間隔で分布し、ポンピング軸Pと平行に伸びている。長手方向の溝２０、２１の間に位置する壁部分で、好ましくは、入口領域９，９aの直径は少なくとも実質的に投与量８，８aの直径に対応する。
【００２５】
媒体容器に向いた前面側で、入口領域９，９aに、ダイアフラムBが結合され、その流路断面は投与通路８と入口領域９の流路断面よりも小さい。しかし、ダイアフラムBの流路断面は、ダイアフラムBの媒体容器に向いた側に結合されたライジング・チューブ１９の自由なチャンネル断面よりも大きい。
【００２６】
図１の実施形態では、入口領域はポンプ・コンポーネント３に一体的に形成される。しかし、ダイアフラムBは、図１から分かるように支持コンポーネント２と一体的に形成される。このために、支持コンポーネント２はポンピング軸Pと同軸上にドーム状のふくらみを形成し、それがコンポーネント３の対応するスリーブ状レセプタクルに摩擦を伴いながら挿入され、詳しくは押し込まれ、入口領域９に向いた前面側で一体的に形成されたダイアフラムBで終端し、それは半径方向でポンピング軸Pに向けられる。このように、ステップ状の円環肩部によって、ポンプ・コンポーネント３の入口領域９はスリーブ状のシリンダー・レセプタクルに移行し、それに前記支持コンポーネントが対応するシリンダーに設計されたふくらみで押し込まれる。長手方向の溝２１は、投与通路８の方の端で閉じているが、前面の端では開いている。
【００２７】
図２と３による実施形態では、ダイアフラムBを含む入口領域９aは支持コンポーネント２aの一体的部分である。このために、支持コンポーネント２aには上向きに突出したリム（状の延長部（が設けられ、入口領域９aがそれと一体化される。ダイアフラムBは入口領域９aの下に一体的に形成される。支持コンポーネント２aは、ポンピング軸Pと同軸上にリム状の延長部によって対応するポンプ・コンポーネント２aのシリンダー・レセプタクルに挿入され、ポンプ・コンポーネント３aにしっかりと摩擦により結合される。入口領域９aの広い長手方向の溝２０はまた、前方で投与通路８aの方へ閉じている。それらはまた、ダイアフラムBの構成によって対向する前方端の方へ閉じている。
【００２８】
図１、２及び図２、３による両方の実施形態で、ポンプ・コンポーネント３，３aと支持コンポーネント２，２aの向かい合う周縁表面には、周縁外形１８が鏡筒状態で互いに係合する壁表面に設けられる。外形１８は、気体を透過する流れ誘導路が毛細管の形で、ポンプ・コンポーネント３aの外側周縁表面の下方前面エッジと前記周縁表面の上方前面エッジの間に得られるようなものである。こうして、コンポーネントの間の液体を通さない結合が外形１８の近くに生成される。しかし、同時に気体の交換、特に空気の交換が、コンポーネント２a／３a又は２／３の間に生成された少なくともひとつの毛細管によって、媒体容器と外部環境の間で可能になる。
【００２９】
媒体容器への周辺空気のアクセスが、支持コンポーネント２aに設けられた通路によって可能になり、通路にはフィルタ・コンポーネント１７が挿入されてフィルタ・ユニットとして働く。図１及び２による両方の実施形態は、出口弁１１及び散布器ケーシング４’の設計に関して同一であり、図５と６に関する以下の記述は両方の実施形態にあてはまる。
【００３０】
図５と６から明らかなように、投与開口１２に向いた前方側で、出口弁１１には、ポンピング軸Pと同軸上に配向されたシリンダー状延長部が設けられそれが密閉システム１３を形成する。内向きに円錐状に拡がった投与開口１２まで内側に続いて、散布器ケーシング４’の出口領域に、対応するシリンダー状弁座２４が設けられている。密閉システム１３と弁座２４は、図５による出口弁１１が閉じた状態で軸方向と半径方向の両方で密閉弁座を形成する。密閉システム１３のまわりに、シリンダー型のリング状ラビリンスリム１５が設けられ、それは密閉システム１３と同様に出口弁１１に一体的に形成される。ラビリンスリム１５はまた密閉システム１３を損傷から防護する。円環状ラビリンスリム１５はすべての位置で同じ断面を有する。図５から明らかなように、断面は実質的に矩形である。ラビリンスリム１５は、密閉システム１３の高さと比べて高さが低い。ラビリンスリム１５と密閉システム１３の間に、円環状のクリアランスがあり、図示された実施形態では、その幅はラビリンスリム１５の幅にほぼ対応し、矩形の内側断面を有する。
【００３１】
図示しないある実施形態では、ラビリンスリムは、密閉システムと少なくとも正確に同じ高さであり、それによって前記ステムの損傷に対する特に良い防護が得られる。
【００３２】
弁座２４は、散布器ケーシング４’のスリーブ状円環延長部として設けられ、ポンピング軸Pと同軸であり、内側へ突出し、殻部分として働く。散布器ケーシング４’の内部に突出する円環延長部には、軸方向内側前方に、センタリング・コーン（centring cone）２０が設けられ、それが投与開口１２の方へ円錐状にテーパーする壁表面を規定する。円錐状にテーパーする壁表面には、いくつかの長手方向の溝２３が一体化され、散布器ケーシング４’の円環延長部の周に分布し、図６から明らかなようにポンピング軸Pと軸方向に平行に弁座２４に続いている。このように、密閉システム１３は弁座２４と軸方向の密閉シート（sealing seat）だけを形成する。投与開口１２への流れ経路は、密閉システム１３がわずかに弁座２４の対応する前面から軸方向に動いただけで自由になるからである。すると、放出される液体は長手方向の溝２３を通って上向きに密閉システム１３の周縁表面を超えて投与開口１２へ流れることができ、密閉システム１３が弁座２４内の半径方向のガイダンスから完全に外れる必要はない。圧力の高まりと出口弁１１の最大リフト移動度によっては、後者が動かされて、液体がもっぱら長手方向の溝２３を通って流れ出す必要はなく、センタリング・コーン２２の円錐面を超えて投与開口１２まで流れ出すほど弁座２４から出てしまうこともある。
【００３３】
弁座２４を含む円環延長部のまわりで、散布器ケーシング４’内に円環部１４が設けられ、そこにラビリンスリム１５が導入される。円環部１４の内側輪郭は、図５の断面図から明らかなように、ラビリンスリム１５の壁表面と平行に延びる壁表面を有する。図５は、また、出口弁１１が閉じられた状態で、円環部１４の壁表面は隣接するラビリンスリム１５の壁表面に対して間隔があいており、密閉システム１３までクリアランスがあることを示す。流体誘導路の働きをするクリアランスは、すでに出口弁１１の下方周縁表面の間で散布器ケーシング４’の内壁から設けられ、その厚さは上方のラビリンス又は散布器ケーシング４’の円環部１４の出口領域におけるとほぼ同じである。出口弁１１を開くと、円環部１４とラビリンスリム１５の間を流れ半径方向内向きに円環延長部を追従する液体の流れは、センタリング・コーン２２及びさらに長手方向の溝２３に達する前にラビリンス状に曲げられる。これによって特に精密で有利な投与又はスプレー特性を得ることは可能になる。
【００３４】
図７の投与装置は手動で作動するポンプ手段を有し、それは図１と２による前述した実施形態のポンプ手段と機能的に同一である。機能的に同一のコンポーネントは同じ参照数字で表されるが、文字bが付け加えられる。不必要な繰り返しを避けるために、同じ参照数字がつけられた機能的に同一のコンポーネントの説明に関しては、先の実施形態の説明を参照されたい。
【００３５】
図７による投与装置の本質的な違いは、散布器のケーシングが、出口弁１１bと投与開口又は放出開口１２bがポンピング軸Pと直角方向に配向されるように構成されているということである。したがって、ポンプ室１０bも、流れ誘導路が直角に曲げられて設けられる。円環状に密閉システム１３bを囲んでいる散布器ケーシングの弁座に向いたラビリンスリム１５bの内側に、フラットな球形の円環状溝PGが設けられ、それがラビリンスリムの付近で流れ特性をさらに改善し、結果的にスプレー作用をさらに改善する。
【００３６】
図１から７までの実施形態に関して説明したような本発明の方法の重要な考え方は、ポンプ室１０の入口弁の付近、すなわち、スライド弁６，７の付近、及び／又は出口弁１１の付近、すなわち、投与開口１２のすぐ上流の出口領域で、それぞれの場合にフローの外形が設けられた円環状の壁があり、それによってポンプ室へ又はポンプ室からの流入／流出特性にプラスの影響を及ぼすことができるということである。
【図面の簡単な説明】
【００３７】
【図１】図１は、本発明の投与装置の第一の実施形態を示す断面図である。
【図２】図２は、図１と同様な本発明の投与装置の別の実施形態を示す断面図である。
【図３】図３は、図２の投与装置の線III-IIIに沿った断面を示す拡大図である。
【図４】図４は、図１の投与装置の線IV-IVに沿った断面を示す拡大図である。
【図５】図５は、図２の投与装置の細部Vを示す拡大図である。
【図６】図６は、図５の細部を、出口弁が開いた位置にある状態で示す図である。
【図７】図７は、本発明の投与装置の別の実施形態を示す拡大断面図である。
【図１】
2009527297.tif 000003
【図２】
2009527297.tif 000004
【図３】
2009527297.tif 000005
【図４】
2009527297.tif 000006
【図５】
2009527297.tif 000007
【図６】
2009527297.tif 000008
【図７】
2009527297.tif 000009
【国際調査報告】
2009527297.tif 000010
2009527297.tif 000011
2009527297.tif 000012
2009527297.tif 000013
2009527297.tif 000014
2009527297.tif 000015
2009527297.tif 000016
2009527297.tif 000017
2009527297.tif 000018
2009527297.tif 000019